Podtech/llm-jp-corpus-v4-ja_patent huggingface dataset:
(57)【要約】      （修正有）【課題】乗物内の空間を有効的に利用しながら、必要に応じて迅速かつ個別に着席可能状態にすることが可能な乗物用椅子を提供する。【解決手段】表面にライニングを施した背もたれ３１と、固定台座に固定するために背面に設けた係合部とを有する固定部３と、表面にライニングを施した座面２１と、該座面２１の裏側に位置して表面にライニングを施した座面受け２２と、前記座面２１および前記座面受け２２の両側部を支承する枠部２３とを有して、かつ、前記固定部３の下方に設けた回転軸４を中心に略垂直姿勢と略水平姿勢との間を搖動可能である可動部２とを備え、該可動部２は、前記座面２１が略水平姿勢の状態においてその位置を保持するロック手段と、ロックを解除する解除手段と、ロックを解除した状態において該可動部が折り畳まれる方向に付勢される付勢手段とを備えるようにした。【選択図】図１
0003203268.tif 000002
【実用新案登録請求の範囲】
【請求項１】
固定台座に背面が固定される折り畳み式の乗物用椅子において、
表面にライニングが施された背もたれと、固定台座に固定するために背面に設けられた係合部とを有する固定部と、
表面にライニングが施された座面と、該座面の裏側に位置して表面にライニングが施された座面受けと、前記座面および前記座面受けの両側部を支承する枠部とを有して、かつ、前記固定部の下方に設けた回転軸を中心に略垂直姿勢と略水平姿勢との間を搖動可能である可動部とを備え、
該可動部は、前記座面が略水平姿勢の状態においてその位置を保持するロック手段と、ロックを解除する解除手段と、ロックを解除した状態において該可動部が折り畳まれる方向に付勢される付勢手段とを備えることを特徴とする乗物用椅子。
【考案の詳細な説明】
【技術分野】
【０００１】
本考案は、車両等に搭載される乗物用椅子に関し、特に公共交通機関で使用されることを想定した乗物用椅子に関する。
【背景技術】
【０００２】
従来、鉄道やバス、船舶等の公共交通機関で使用される乗物に設置される椅子の座席は、乗物内の床上または壁面に設置された固定台座に固定される構造としており、このような座席には、座面が固定台座に固定される構造のものと、背面が固定台座に固定される構造のものとがある。
【考案の概要】
【考案が解決しようとする課題】
【０００３】
本考案は、乗物内の空間を有効的に利用しながら、必要に応じて迅速かつ個別に着席可能状態にすることが可能な乗物用椅子を提供することを目的とする。
【課題を解決するための手段】
【０００４】
上述した課題を解決するために、本考案の乗物用椅子では、表面にライニングを施した背もたれと、固定台座に固定するために背面に設けた係合部とを有する固定部と、表面にライニングを施した座面と、該座面の裏側に位置して表面にライニングを施した座面受けと、前記座面および前記座面受けの両側部を支承する枠部とを有して、かつ、前記固定部の下方に設けた回転軸を中心に略垂直姿勢と略水平姿勢との間を搖動可能である可動部とを備え、該可動部は、前記座面が略水平姿勢の状態においてその位置を保持するロック手段と、ロックを解除する解除手段と、ロックを解除した状態において該可動部が折り畳まれる方向に付勢される付勢手段とを備えるようにしている。
【考案の効果】
【０００５】
本考案は、座面を略水平状態にした際には着席可能であり、座面を略垂直状態にした際には乗物内の空間を有効に利用することができるものであって、これらの切り替えはロック手段および解除手段により容易に行うことが可能である。
【図面の簡単な説明】
【０００６】
【図１】本実施形態に係る乗物用椅子において、着席可能である状態を示す斜視図。
【図２】図１における乗物用椅子の正面図。
【図３】図１における乗物用椅子の背面図。
【図３Ａ】図３におけるＡ−Ａ部分拡大図。
【図４】図１における乗物用椅子の右側面図。
【図５】図１における乗物用椅子の平面図。
【図６】図１における乗物用椅子の底面図。
【図６Ａ】図６におけるＢ−Ｂ部分拡大図。
【図７】本実施形態に係る乗物用椅子において、折り畳んだ状態を示す斜視図。
【考案を実施するための形態】
【０００７】
以下、本考案の実施例を図を参照して説明する。
図１乃至図６Ａは、着席可能状態である乗物用椅子１を示したものであり、図７は、折り畳んだ状態の乗物用椅子１を示したものである。
【０００８】
乗物用椅子１は、主に、使用者が腰を下ろす部分である座面２１を有する可動部２と、背中をもたれ掛らせる背もたれ３１を有する固定部３とからなり、可動部２が固定部３に対して回転軸４を中心に搖動可能に取り付けられるものである。
【０００９】
固定部３は図示せぬ乗物等の床上または壁面に固定される固定台座に固定されるものであって、その背面には、図示せぬ固定台座に固定するための係合部３２、３２が設けられている。また、固定部３は、その下部において正面側に緩やかに突出してなる凸部３３を形成している。この凸部３３は、使用者の前彎する腰椎の形状に沿うため、使用者の着席中の疲労を抑制する効果を奏する。さらに、凸部３３の左右端部を中央部よりも突出させて形成することによって、使用者の腰部を保持する効果を持たせることも可能である。
【００１０】
可動部２は、座面２１と、座面２１の裏側に位置する座面受け２２と、座面２１および座面受け２２の両側部を支承する枠部２３、２３とを備える。枠部２３、２３は座面２１および座面受け２２の後端よりさらに後方に延設されて腕部２４、２４を有し、腕部２４、２４に設けた回転軸４上の軸部２５、２５と、固定部３の回転軸４上の軸部３４、３４との係合により、可動部２が固定部３に対して搖動可能に支承される。
【００１１】
背もたれ３１と、座面２１と、座面受け２２との表面にはライニングを施しており、通常の移動時には着席のために可動部３を下ろした状態（図１等）で使用し、混雑時等の乗物内の空間を広く確保する必要がある際には、可動部２を折り畳み、座面受け２２に寄りかかって休むことが可能であるようにしている。
【００１２】
さらに、可動部２は、着席可能状態においてその位置を保持するロック手段と、ロックを解除する解除手段と、ロックを解除した状態において折り畳まれる方向に付勢される付勢手段とを備えており、着席可能状態と、折り畳んだ状態との切り替えが容易であるようにしている。
【符号の説明】
【００１３】
１    乗物用椅子
２    可動部
２１  座面
２２  座面受け
２３  枠部
２４  腕部
２５  軸部
３    固定部
３１  背もたれ
３２  係合部
３３  凸部
３４  軸部
４    回転軸
【図１】
0003203268.tif 000003
【図２】
0003203268.tif 000004
【図３】
0003203268.tif 000005
【図３Ａ】
0003203268.tif 000006
【図４】
0003203268.tif 000007
【図５】
0003203268.tif 000008
【図６】
0003203268.tif 000009
【図６Ａ】
0003203268.tif 000010
【図７】
0003203268.tif 000011
(57)【要約】      （修正有）【課題】病院や在宅での介護者及び洗髪施術者にとって、洗髪の労力、時間、設備費用、被施術者の移動の労苦が著しく緩和される洗髪器具を提供する。【解決手段】ベッド１上に置いたプラスチック洗髪容器２と横に置いた加圧循環ポンプ４の吸水ホース３を洗髪容器２に設置し、吸い上げたお湯を加圧循環ポンプ４に取付けたマイクロバブルシャワーヘッド口５から非施術者の頭部に循環させ流すだけで短時間に軽量設備で簡単に洗髪出来るように洗髪容器２と加圧循環ポンプ４を組み合わせた。【選択図】図１
0003203261.tif 000002
【実用新案登録請求の範囲】
【請求項１】
ベット上に移動出来るプラスチック洗髪容器と横に置いた台に循環ポンプで加圧したマイクロバブルの泡とお湯で被施術者の頭皮を循環させながら洗髪出来る器具。
ベットの上に簡単に移動、設置出来るプラスチックの洗髪容器を置きその中にお湯を９リッター入れ、ベッドの横の台に置いた循環加圧ポンプで吸水しそして、加圧したお湯をマイクロバブルシャワーヘッドから被施術者の頭部に流し、お湯を循環さしながら捨て水もなく洗髪出来る。
特別な排水設備、給湯設備、洗髪設備を必要とせず使用するお湯も９リッターだけで捨て水の必要も無く、労力、時間、節水にもつながる循環式の移動洗髪器具。
【請求項２】
従来の洗髪剤（シャンプ、リンス）を使わず加圧されたマイクロバブルの泡と湯圧で洗髪する方法。
頭皮、頭髪の洗髪は、洗髪剤を使わなくてもお湯を流すだけで汚れの８０％は洗髪出来る。
皮脂や通常のセット剤も湯圧を加えて出来た細かい泡の力で流して洗髪する事が出来る。
多量の濯ぎ水も必要なく、目や耳に入っても拭き取るだけなので安全性と利便性が非常に高い。また、細かい泡が頭皮を心地よく刺激され頭部の血行促進効果もある。
過度の洗髪は皮脂の取りすぎにも成るので注意が必要。
【考案の詳細な説明】
【技術分野】
【０００１】本考案は、洗髪剤を使わず、簡単に移動、設置出来、ベッド上で洗髪出来る循環式の洗髪器具に関する。
【背景技術】
【０００２】従来は洗髪剤を使ってお湯と洗髪剤を流しながらの洗髪排水方式で給湯設備、給水設備、排水設備を必要とし、被施術者の移動や介護者の労働、時間に大きな負担が掛かった。
【考案の開示】
【考案が解決しようとする課題】
【０００３】洗髪剤を使っての洗髪は、洗髪、濯ぎに多量のお湯と時間と労力を必要とし、各設備にも場所と過大な費用が掛かり、患者、介護者にも負担が大きい。
【課題を解決する為の手段】
【０００４】ベットの上に、移動、設置の簡単なプラスチックの洗髪容器▲２▼を置き、被施術者を寝かし、その横の台▲６▼に循環、加圧装置の付いた循環ポンプ▲４▼を置き、吸水パイプ▲３▼を使ってプラスチック洗髪容器▲２▼の中に入れた湯９リッタを循環ポンプ▲４▼で湯を吸い上げ加圧をしながら被施術者の頭皮をマイクロバブルシャワーヘツド▲５▼で流しプラスチック洗髪容器▲２▼と循環ポンプ▲４▼の間に湯を循環さし、被施術者の頭を流すだけで湯の加圧で出来るマイクロバブル効果の泡と湯圧で頭皮、頭髪の洗髪をする。
［図１］
【考案の効果】
【０００５】本考案の簡単に移動、設置出来るプラスチック洗髪容器▲３▼に９リッターの湯を入れ加圧装置の付いた循環ポンプ▲４▼を使ってマイクロバブル効果の泡とお湯で被施術者の頭皮を洗髪剤を使わず洗髪し、被施術者が移動する事無くベッド上での循環洗髪方式が病院や在宅での介護士や家族の洗髪に要する労力、時間、患者の負荷、節水、設備費用を著しく軽減する事が出来る。特に長期のベットでの被施術者の頭皮は毛穴から出る皮脂、臭い、日常の汚れだけで鉱物油や樹脂の整髪剤は使用していないのでマイクロバブルの細かい泡で充分に洗髪出来る。
【考案を実施するための最良の形態】
【０００６】ベット▲１▼の上に、簡単に、移動、設置出来るプラスチック洗髪容器▲２▼を置き、９リッターの湯を入れ被施術者を寝かせ、横に加圧装置の付いた循環ポンプ▲４▼を台▲６▼に置き、湯を被施術者の頭皮にマイクロバブルシャワーヘッド▲５▼を使って流し９リッターの湯を循環させ、被施術者をベット▲１▼上に寝かしたままで移動さすことなく洗髪が出来る。
また、介護側は、従来の洗髪剤（シャンプ、リンス）を使わず加圧したお湯とマイクロバブルの泡の力で被施術者、の頭皮を座ったままで流すだけなので従来の洗髪の労力、時間、設備費用、被施術者の移動の労苦が著しく緩和される。
【図面の簡単な説明】
【０００７】
【図１】本考案のベットの上で洗髪出来る、洗髪剤を使わない循環式洗髪用具の洗髪容器と加圧、循環の出来る循環ポンプの配置図。
【符号の説明】
【０００８】１  ベット
２  洗髪容器
３  吸水ホース
４  加温、加圧循環ポンプ
５  マイクロバブルシャワーヘッド
６  循環器をのせる台
７  電源
【図１】
0003203261.tif 000003
【手続補正書】
【提出日】平成27年12月24日(2015.12.24)
【手続補正１】
【補正対象書類名】実用新案登録請求の範囲
【補正対象項目名】全文
【補正方法】変更
【補正の内容】
【実用新案登録請求の範囲】
【請求項１】
ベッド上に置いたプラスチック洗髪容器と横に置いた加圧循環ポンプの吸水ホースを設置し吸い上げたお湯を加圧循環ポンプに取付けたマイクロバブルシャワーヘッド口から非施術者の頭部に循環させ流すだけで短時間に軽量設備で簡単に洗髪出来る洗髪容器と加圧循環ポンプを組み合わせた洗髪器具。
(57)【要約】      （修正有）【課題】通常はつなぎ目を壁面に対して直角に切断するところを、本考案の定規を使用することで、一定の角度をもって切断することで、外光からの反射によるつなぎ目の視覚的な露呈を低減することができる技巧を用いる際に最適な壁紙切断用の定規を提供する。【解決手段】定規は、全体が略長方形状の基板と、該基板の左右側端に折曲加工が可能な状態で延設した側板１ｂから成り、少なくとも一方の側板１ｂは、前記基板に対して鈍角に折曲加工されると共に十分な厚みを有することで、側板１ｂの外側の端面Ｔに沿って且つ壁紙Ｐに押し付けられるカッター刃Ｎの刃先が壁紙Ｐを斜めに切断するように配置される。【選択図】図３
0003203264.tif 000002
【実用新案登録請求の範囲】
【請求項１】
作業者が把持するために略長方形状の外観で且つ立体的に全体が形成されると共に側端部にカッター刃を当接させて使用する壁紙の切断用の定規であって、前記定規は、全体が略長方形状の基板と、該基板の左右側端に折曲加工が可能な状態で延設した側板から成り、少なくとも一方の側板は、前記基板に対して鈍角に折曲加工されると共に十分な厚みを有することで、側板の外側の端面に沿って且つ壁紙に押し付けられるカッター刃の刃先が壁紙を斜めに切断するように配置されることを特徴とする壁紙切断用の定規。
【請求項２】
前記基板は、リブ状に且つ並列に配置される複数の基片を残して打ち抜き加工され、該夫々の基片の左右側端に折曲加工が可能な状態で直交方向に延設した側板から成ることを特徴とする請求項１に記載の壁紙切断用の定規。
【請求項３】
前記他方の側板は、作業者の押圧力を受けるために基片と壁紙を平行に配置した際に壁紙及び壁面に対して垂直に折曲加工されていることを特徴とする請求項１及び請求項２に記載の壁紙切断用の定規。
【考案の詳細な説明】
【技術分野】
【０００１】  本考案は、クロス等の化粧用の壁紙を施工した際に、二つの壁紙間のつなぎ目を切断により仕上げ形成する際に使用する壁紙切断用の定規であり、詳細には、通常はつなぎ目を壁面に対して直角に切断するところを、本考案の定規を使用することで、一定の角度をもって切断することで、外光からの反射によるつなぎ目の視覚的な露呈を低減することができる技巧を用いる際に最適な壁紙切断用の定規に関するものである。【０００２】  また、更に本考案は、その定規を一枚の板材の抜き打ち加工と折り曲げ加工のみで安価に製造するために適した定規に関するものである。
【背景技術】
【０００３】一般に、クロス等の壁紙は、一定幅の壁紙を繋ぎ合わせて貼るため、それぞれを若干重ねた状態で貼った後に、重なり部分に定規を当てがいながらカッター刃で切断して残った紙を除去してあたかも一枚の壁紙の様に見せる。しかしながら、この様な切断作業は熟練を要すると共に、壁に対して垂直に切断した場合、斜め方向からの太陽光等が入射した場合、反射によりつなぎ目が見え易い等の問題があった。
【考案が解決しようとする課題】
【０００４】  本考案は、通常はつなぎ目を壁面に対して直角に切断するところを、本考案の定規を使用することで、一定の角度をもって切断することで、外光からの反射によるつなぎ目の視覚的な露呈を低減することができる技巧を用いる際に最適な壁紙切断用の定規を提供する。
【課題を解決するための手段】
【０００５】  本考案は上述の課題を解決するために、作業者が把持するために略長方形状の外観で且つ立体的に全体が形成されると共に側端部にカッター刃を当接させて使用する壁紙の切断用の定規において、前記定規は、全体が略長方形状の基板と、該基板の左右側端に折曲加工が可能な状態で延設した側板から成り、少なくとも一方の側板は、前記基板に対して鈍角に折曲加工されると共に十分な厚みを有することで、側板の外側の端面に沿って且つ壁紙に押し付けられるカッター刃の刃先が壁紙を斜めに切断するように配置されることを特徴とするものである。
【０００６】  また、基板は、リブ状に且つ並列に配置される複数の基片を残して打ち抜き加工され、該夫々の基片の左右側端に折曲加工が可能な状態で直交方向に延設した側板から構成することで、全体を一枚の板で制作して折り曲げ加工ができるようにしたために、極めて安価で定規を製造できるようにした。
【実施例】  以下、図面を基に本考案の実施例を具体的に説明する。
図１は、本考案の定規の全体の概要を示す正面図であり、図２は、本考案の定規の全体の概要を示す側面図であり、図３は、本考案の要部を拡大した使用状態を示す説明図であり、図４は、本考案の全体の概要を示す説明図である。【０００７】  図１乃至図３に示す如く、本考案の定規１は、作業者が把持するために略長方形状に全体が形成される。そして、側端部の端面Ｔにカッター刃Ｎを当接させて使用する壁紙Ｐの切断用の定規１である。【０００８】  前記定規１は、全体が一枚の金属製の厚みを有する板材から成り、略長方形状の基板１ａと、該基板１ａの左右側端に折曲加工が可能な状態で延設した側板１ｂから成る。【０００９】  そして、少なくとも一方の側板１ｂは、前記基板１ａに対して鈍角に折曲加工されると共に十分な厚みを有することで、側板１ｂの外側の端面Ｔに沿って且つ壁紙に押し付けられるカッター刃Ｎの刃先が壁紙Ｐを斜めに切断するように配置される【００１０】前記基板１ｂは、図１に図示の如く、リブ状に且つ並列に配置される複数の基片１ｃを残して打ち抜き加工される。この様に構成することにより、該夫々の基片１ｃの左右側端に折曲加工が可能な状態で直交方向に側板１ｂが延設することができる。【００１１】  そして、前記他方の側板１ｂは、その端面Ｔにより作業者の押圧力を受けるために基片１ｃと壁紙Ｐを平行に配置した際に、壁紙及び壁面に対して垂直に折曲加工されている。【００１２】  本考案の定規１を用いるには、図４に図示の如く、一方の手で定規１を把持し、クロス等の化粧用の壁紙を施工した際に、二つの壁紙間のつなぎ目に対して、定規１の一方の側板１ｂを切断方向に添うように配置し、端面Ｔに対してカッター刃Ｎを当て、切断により仕上げ形成する。【００１３】  その際、通常の定規であれば、つなぎ目を壁面に対して直角に切断するが、本考案の定規を使用することで、一定の角度をもって切断することで、外光からの反射によるつなぎ目の視覚的な露呈を低減することができる技巧を用いることができる。【００１４】
【考案の効果】
【００１５】  本考案によれば、定規を壁に自然に当てがうだけで、簡単に壁紙の繋ぎ目をカッターによる切断作業ができるだけでなく、その定規を一枚の板材の抜き打ち加工と折り曲げ加工のみで安価に製造することができる。
【図面の簡単な説明】
【００１６】
【図１】本考案の定規の全体の概要を示す正面図である。
【図２】本考案の定規の全体の概要を示す側面図である。
【図３】本考案の要部を拡大した使用状態を示す説明図である。
【図４】本考案の全体の概要を示す説明図である。
【符号の説明】
【００１２】１  定規
１ａ  基板
１ｂ  側板
１ｃ  基片
Ｐ  壁紙
Ｗ  壁面
Ｔ  端面
Ｎ  カッター刃
【図１】
0003203264.tif 000003
【図２】
0003203264.tif 000004
【図３】
0003203264.tif 000005
【図４】
0003203264.tif 000006
(57)【要約】      （修正有）【課題】上腕筋、背筋、胸筋、三角筋を含め総指伸筋の運動が可能となる、弾力性のある軟質性運動用ゴムひもを提供する。【解決手段】リング状に形成された軟質性運動用ゴムひも１の両端に指挿入用穴２を設ける。【選択図】図１
0003203270.tif 000002
【実用新案登録請求の範囲】
【請求項１】
リング状に形成された軟質性ゴムひもの両端に、指挿入用の穴を設けた運動用ゴムひも。
【考案の詳細な説明】
【技術分野】
【０００１】  本考案は、軟質なゴムからなる運動用ゴムひもに関するものである。
【背景技術】
【０００２】  従来は、運動用としてロープ状のひもや、タオル状のひもが使用されている。
【考案の概要】
【考案が解決しようとする課題】
【０００３】  しかし、ロープ状のひもや、タオル状のひもは弾力性が無く、上腕筋、背筋、胸筋、三角筋等の運動が出来なかった。
【課題を解決するための手段】
【０００４】  本考案は、リング状に形成された軟質性運動用ゴムひもの両端に、指挿入用の穴を設ける。
以上の構成よりなる運動用ゴムひも。
【考案の効果】
【０００５】  本考案により、軟質性ゴムによる伸縮性がある為、従来不可能であった上腕筋、背筋、胸筋、三角筋を含め総指伸筋の運動が可能となる。又、ゴムひもの両端に指挿入用穴を設ける事により、握力が無くても運動が可能である。
【図面の簡単な説明】
【０００６】
【図１】本考案の全体斜視図
【図２】本考案の端部拡大斜視図
【考案を実施するための形態】
【０００７】  リング状に形成された軟質性運動用ゴムひも（１）の両端に設けられた指挿入用穴（２）に左右の指を挿入させ、左右の腕を上下左右に伸縮させながら開閉させ運動する。
【０００８】  軟質性運動用ゴムひも（１）を上下左右に開閉することにより、従来不可能であった上腕筋、背筋、胸筋、三角筋及び、総指伸筋の運動が可能である。
【０００９】  両端に設けられた指挿入用穴（２）に指を挿入することにより、軟質性運動用ゴムひも（１）を上下左右に開閉運動する動作において安定される。
【符号の説明】
【００１０】１  運動用ゴムひも
２  指挿入用穴
【図１】
0003203270.tif 000003
【図２】
0003203270.tif 000004
(57)【要約】      （修正有）【課題】台風などの悪天候のとき、結婚式等外出しなければならない場合に、手荷物が増えバッグが濡れることを防止できるカサ専用袋つきリバーシブル袋を提供する。【解決手段】従来のリバーシブル袋の片面にカサ専用袋をとりつける。表面を撥水性・防水性の布で構成する。【選択図】図１
0003203251.tif 000002
【実用新案登録請求の範囲】
【考案の詳細な説明】
【技術分野】
【０００１】本考案は、従来のリバーシブル袋をより便利に使用するために関する。
【背景技術】
【０００２】従来のリバーシブル袋は、両面違った柄等でできている。
【考案の開示】
【考案が解決しようとする課題】
【０００３】以上に述べた従来のリバーシブル袋では、台風など悪天候のとき、結婚式等外出しなければならない場合、手荷物も増えるし、ぬれて困ることもあった。
【課題を解決するための手段】
【０００４】本考案は従来のリバーシブル袋に図２のカサ専用袋をとりつける。またはっ水性、防水性の布にすることによって問題を解決することができる。
【考案の効果】
【０００５】図１のように駅、目的地等屋内ではカサをカサ専用袋に入れることができ、またリバーシブル袋をうら返すことによって、ぬれたものを袋の中にしまうことができる。袋をヒザの上に置けば両手が自由になるし、あわてて電車等のりものからおりる際置き忘れる心配がない。日ガサも同様である。
【図１】
0003203251.tif 000003
【図２】
0003203251.tif 000004
【手続補正書】
【提出日】平成27年11月20日(2015.11.20)
【手続補正１】
【補正対象書類名】実用新案登録請求の範囲
【補正対象項目名】全文
【補正方法】追加
【補正の内容】
【実用新案登録請求の範囲】
【請求項１】
リバーシブル袋の表裏の一方の面を撥水性・防水性の布で構成し、他方の面にカサ専用袋をとりつけたことを特徴とするカサ専用袋付きリバーシブル袋。
【手続補正２】
【補正対象書類名】明細書
【補正対象項目名】全文
【補正方法】変更
【補正の内容】
【考案の詳細な説明】
【技術分野】
【０００１】  本考案は、従来のリバーシブル袋をより便利にするために関する。
【背景技術】
【０００２】  従来のリバーシブル袋は両面違った色柄を楽しむだけである
【考案の開示】
【考案が解決しようとする課題】
【０００３】  従来のリバーシブル袋では、台風など悪天候のとき、結婚式等外出しなければならない場合、手荷物も増えるし、雨にぬれて困ることがあった。
【課題を解決するための手段】
【０００４】  リバーシブル袋のかた面に発水性防水性のある布を使用する。
また、かた面に図２のカサ専用袋をとりつける。
【考案の効果】
【０００５】  悪天候のとき、かた面の発水性、防水性の布を表にし、おしゃれバック等ぬれては困るものを入れ、雨でぬれてしまうのを防ぐことができる。  また図１のように、リバーシブル袋をうら返すことによって、ぬれている発水性、防水性の面が裏になるため、レインコート等、ぬれているものを入れることができる。カサ専用袋にカサを入れることによって、電車内、目的地等屋内で手荷物が少なくなる。また、カサの置き忘れ防止にもなる。
【図面の簡単な説明】
【０００６】
【図１】  台風等悪天候で外出するときは、発水性、防水性の布面を表にし、ぬれては困るおしゃれバックなどを入れる。駅等、目的地に着いたら、リバーシブル袋からおしゃれバックをだし、袋をうら返し、発水性、防水性の面を中側にし、レインコート等ぬれたものを入れる。また、カサ専用袋にカサを入れる。
【図２】  カサ専用袋を作るための裁断図である。カサの入る長さにあわせて、長さ（例７０ｃｍ）にぬいしろ分をたして、たての寸法にする。横は袋にカサが入る大きさにする（例２８ｃｍ）たすぬいしろ分。表面は好みの布、裏面は発水性、防水性の布、２枚を重ねてぬって、カサ専用袋を作成する。
(57)【要約】      （修正有）【課題】容易に又確実に机に固定する事で、ひざ掛けをたたんだり掛けなおしたりする手間を省く事が出来、また円形の形状によりどこからも同じ長さで膝に掛けられると同時に床に着いて汚れないようにしたひざ掛けを提供する。【解決手段】円形の膝掛け１の中央部にＤカン３を設け、そのＤカン３を机裏面に貼り付けた回転型フックに吊り下げる。【選択図】図２
0003203256.tif 000002
【実用新案登録請求の範囲】
【請求項１】
円形の膝掛けの中央にＤカンを設け、そのＤカンを机裏面に貼り付けた回転型フックに吊るすことにより、容易に又確実に机に固定することを可能にしたひざ掛け。
【請求項２】
円形の形状から、吊るしたときにどこからも同じ長さで膝にかけられると同時に、四角形のひざ掛けのように四隅が床に垂れ下がる事を無くした事を特徴とするひざ掛け。
【考案の詳細な説明】
【技術分野】
【０００１】  本考案は、円形の膝掛けにＤカンを設け、机裏面に貼りつけた回転型フックに吊り下げる事により、容易に又確実に机に固定する事でひざ掛けをたたんだり掛けなおしたりする手間を省く事が出来る様にした、吊り下げ型の膝掛けに関するものである。また円形の形状によりどこからも同じ長さで膝に掛けられると同時に四隅が床に着いて汚れないようにしたものである
【背景技術】
【０００２】  デスクワークにおいて、離席時、着席時には膝掛けをたたんだり、掛けなおすなどして使用していた。
【先行技術文献】
【特許文献】
【０００３】
【特許文献１】特許第４７００１３２号
【特許文献２】実願２００７−６９３７（Ｕ２００７−６９３７）
【考案の概要】
【考案が解決しようとする課題】
【０００４】  従来のひざ掛けは、容易に又確実に机に固定する事できず、離席時や着席時に、膝掛けをたたんだり掛けなおすなどしていた。また掛けた時に角が床に着いて汚れていた
【課題を解決するための手段】
【０００５】  本考案は、膝掛けの中央にＤカンを設け、机裏面に貼りつけた回転型フックに吊り下げることにより、容易に又確実に机に固定する事でかけなおす手間をなくし、また円の形状から同じ長さで膝に掛けられると同時に四隅が床に着いて汚れる事を無くし、前述の欠点を解消しようとするものである。
【考案の効果】
【０００６】  本考案に係る吊り下げ型の膝掛けは、中央部に設けたＤカンを机裏面に貼りつけた回転型フックに吊り下げる事のより、容易に又確実に机に固定する事で離席時や着席時に膝掛けを掛けなおす手間がなくなり、また円の形状から形どの部分からも同じ長さで膝に掛けられ四隅が床に着いて汚れる事を無くすことが出来、実用性に優れたものである
【図面の簡単な説明】
【０００７】
【図１】本考案に係る吊り下げ型膝掛けの正面図である
【図２】本考案に係る吊り下げ型膝掛けの側面図である
【図３】本考案に係る吊り下げ型膝掛けを吊るす回転型フックの側面図である
【考案を実施するための形態】
【０００８】  図１に示すように円形の膝掛け１にフックに吊り下げられるように中央部にＤカン取付部２にＤカン３を設ける
【０００９】  図２に示すように膝掛け１を吊り下げた時に円形の形状の為、四隅が床に着かない
【００１０】  図３は吊り下げるための机底面に貼った回転型フック４
【実施例】
【００１１】  上記工程により完成した吊り下げ型の膝掛けは、机裏面に吊り下げる事により、離席時や着席時に膝掛けを掛けなおす手間がなくなり、また円形であるためどの部分からも同じ長さで膝に掛けられ四隅が床に着いて汚れる事を無くすことが出来る
【符号の説明】
【００１２】１  円形の膝掛け
２  Ｄカン取付部
３  Ｄカン
４  回転型フック
【図１】
0003203256.tif 000003
【図２】
0003203256.tif 000004
【図３】
0003203256.tif 000005
【手続補正書】
【提出日】平成27年12月2日(2015.12.2)
【手続補正１】
【補正対象書類名】実用新案登録請求の範囲
【補正対象項目名】全文
【補正方法】変更
【補正の内容】
【実用新案登録請求の範囲】
【請求項１】
円形の膝掛けの中央にＤカンを設け、そのＤカンを机裏面に貼り付けた回転型フックに吊るすことにより、容易に又確実に机に固定することを可能にしたひざ掛け。
【請求項２】
円形の形状から、吊るしたときにどこからも同じ長さで膝にかけられると同時に、四角形のひざ掛けのように四隅が床に垂れ下がる事を無くした事を特徴とする請求項１記載のひざ掛け。
(57)【要約】      （修正有）【課題】ハーモニカや、ギター等を演奏しながらリズム楽器を演奏可能とする演奏補助具を提供する。【解決手段】手で振って音を発生させる楽器（鈴）１００が取り付けられて、足で操作可能な演奏補助具１であって、一端が足のかかと側で踏みつけられる踏み板１０と、踏み板１０の他端側に、その一端側が接続され、その他端側が足のつま先側で上下方向に移動可能であり、下方に移動された場合に上方向に付勢される可動板２０とを備え、可動板２０はその上面に上記楽器１００が取り付け可能な取り付け部３０を有する。【選択図】図１
0003203206.tif 000002
【実用新案登録請求の範囲】
【請求項１】
手で振って音を発生させる楽器が取り付けられて、足で操作可能な演奏補助具であって、一端が足のかかと側で踏みつけられる踏み板と、踏み板の他端側に、その一端側が接続され、その他端側が足のつま先側で上下方向に移動可能であり、下方に移動された場合に上方向に付勢される可動板とを備え、可動板はその上面に上記楽器が取り付け可能な取り付け部を有することを特徴とする演奏補助具。
【請求項２】
踏み板と可動板との間に、一対の部材を衝突させることで音を発生する楽器が取り付け可能であることを特徴とする請求項１に記載の演奏補助具。
【考案の詳細な説明】
【技術分野】
【０００１】
本考案は、演奏補助具に関する。
【背景技術】
【０００２】
特許文献１で提案されている鈴等のリズム楽器は、手で振って音を発生させていた。
【先行技術文献】
【特許文献】
【０００３】
【特許文献１】実用新案登録  第３０３９３００号公報
【考案の概要】
【考案が解決しようとする課題】
【０００４】
しかしながら、ハーモニカや、ギター等を演奏する楽器演奏者の手は塞がっているため、手で持って演奏する鈴等のリズム楽器を演奏することができなかった。
【０００５】
また、曲に依ってリズム楽器を入れて演奏したいと思った時、足で操作可能な演奏補助具を取り入れることで、曲の幅も広がり、演奏者は勿論、聞く人もより楽しめる。
【０００６】
本考案は、ハーモニカや、ギター等を演奏しながらリズム楽器を演奏可能とする演奏補助具を提案することを目的とする。
【課題を解決するための手段】
【０００７】
手で振って音を発生させる楽器が取り付けられて、足で操作可能な演奏補助具であって、一端が足のかかと側で踏みつけられる踏み板と、踏み板の他端側に、その一端側が接続され、その他端側が足のつま先側で上下方向に移動可能であり、下方に移動された場合に上方向に付勢される可動板とを備え、可動板はその上面に上記楽器が取り付け可能である。
【考案の効果】
【０００８】
ハーモニカや、ギター等演奏しながらリズム楽器を演奏可能とする演奏補助具を提供できる。
【図面の簡単な説明】
【０００９】
【図１】本考案の実施形態に係る演奏補助具の正面図である。
【図２】本考案の実施形態に係る演奏補助具の俯瞰図である。
【図３】本考案の実施形態に係る演奏補助具にカスタネットを設置した状態を示す図である。
【考案を実施するための形態】
【００１０】
演奏補助具１は、手で振って音を発生させる楽器１００が取り付けられて、足で操作可能な演奏補助具であって、一端が足のかかと側で踏みつけられる踏み板１０と、踏み板１０の他端側に、その一端側が接続され、その他端側が足のつま先側で上下方向に移動可能であり、下方に移動された場合に上方向に付勢される可動板２０とを備え、可動板２０はその上面に上記楽器が取り付け可能な取り付け部３０を有する。
【００１１】
演奏補助具１は、踏み板１０と可動板２０との間に、一対の部材を衝突させることで音を発生する楽器２００が取り付け可能である。
【００１２】
演奏補助具１は弾性変形可能な素材（例えば、プラスチック等の合成樹脂）で形成された板材が屈曲され、踏み板１０と可動板２０とが一体的に形成されている。
【００１３】
なお、演奏補助具１の踏み板１０と可動板２０は、一体的に限らず、可動板２０が下方に移動された場合に上方向に付勢されれば任意の構造とすることができる。
【００１４】
本実施形態によれば、ハーモニカやギター等演奏しながらリズム楽器を演奏可能とする演奏補助具を提供できる。
【００１５】
また、保育園、幼稚園等での幼い頃からの音楽学習の中で鈴やカスタネット等リズム楽器を手に持って振り鳴らす学習が行われているが、足で操作する演奏補助具をも使って身体全体でリズムやテンポを取ることで、さらにリズム感覚が養うことに役立つ。
【００１６】
また、高齢者は日常、身体を横にしたり、椅子に座って過ごすことが多い。
高齢者施設では、一日の時間の中で音楽を取り入れる所が多く、音楽を聴く時、歌を唄う時、足で操作する演奏補助具を使い、鈴やカスタネットを鳴らし、リズムに乗って身体を動かことで、高齢者にとっての運動にも役立つ。
【符号の説明】
【００１７】
１  演奏補助具
１０  踏み板
２０  可動板
３０  取り付け部
１００  鈴（手で振って音を発生させる楽器）
２００  カスタネット（一対の部材を衝突させることで音を発生させる楽器）
【図１】
0003203206.tif 000003
【図２】
0003203206.tif 000004
【図３】
0003203206.tif 000005
(57)【要約】      （修正有）【課題】原反ロールの巻芯（紙管、樹脂管、金属管）とシート材（フィルム、樹脂、紙、布）の分離作業において作業者の労力軽減、安全作業、作業者の熟練度に関係なく効率よく分離作業を可能にする原反ロール処理装置を提供する。【解決手段】カッターユニット２を昇降機構及び横移動機構に取付け、各ハンドル４、６の操作により原反ロールのシート材表面に丸刃３を食い込ませ横方向に移動、往復させてシート材を切断することにより、人力負担を減少し作業者の労力を軽減する。また、従来の折る刃式カッターナイフと異なり刃物損傷による怪我がなくなり安全作業が出来る。さらに、作業者の熟練度に関係なく効率よく容易に巻芯とシート材の分離作業ができる。【選択図】図１
0003203275.tif 000002
【実用新案登録請求の範囲】
【請求項１】
原反ロール（フィルム、樹脂、紙、布）の左右切断深さを均一にさせるための昇降機構は架台両側取付けスライドガイドシャフト及びラック・ピニオンにより主保持台が昇降ハンドルと送りネジで上下降、常に水平が保たれ主保持台に取付けたカッターユニットの左右移動も水平が保たれている為、原反ロール（フィルム、樹脂、紙、布）が均一に切断できるとともに送りネジとラック・ピニオンにより切断時の反力を保持できる機構としている、カッターユニットには回転丸刃を使用して刃物耐久性向上、左右往復切断が可能とし作業効率が大幅に改善、又カッターユニットの横移動には直線運動レールを使用して人力負荷を軽減させている、原反ロール受けバーは三角形状のもの２本使用、原反ロール外径の大小に対応可能なよう巾移動出来るようにしている、以上の構成により昇降ハンドルで原反ロールの表面切断位置までカッターユニットを下降、丸刃を左右移動させ順次繰返し切断、巻芯（紙管、樹脂管、金属管）表面まで切断してシート材（フィルム、樹脂、紙、布）と巻芯（紙管、樹脂管、金属管）を分離させることを特徴とする原反ロール処理装置。
【考案の詳細な説明】
【技術分野】
【０００１】本考案はフィルム、紙、樹脂、布等シート材の製造及び二次加工分野で原反ロールの巻芯（紙管、樹脂管、金属管）とシート材（フィルム、樹脂、紙、布）を原反ロール処理装置で安全に、効率良く分離する装置に関するものである。
【背景技術】
【０００２】原反ロールの分離は巻芯の再利用、シート材の再資源化を目的とし従来は折る刃式カッターナイフ等を使用してシート材表面に人力で横方向にカッターナイフを移動させ切断を行う方法で手首の故障、作業効率が悪い、力加減により刃先が折れる、カッターナイフが滑り人体に当たり怪我をする、カッターナイフの耐久性に欠ける等、巻芯とシート材の分離作業は困難な問題であった。
【考案の概要】
【考案が解決しようとする課題】
【０００３】巻芯とシート材分離は折る刃式カッターナイフ等の刃物を使用してシート材に人力でカッターナイフを押付け横方向にナイフを移動させ切断を行う方法で手首の故障、作業効率が悪い、力加減により刃先が折れる、カッターナイフが滑り人体に当たり怪我をする等、巻芯とシート材の分離作業は困難な問題となる、したがって機械的な原反ロール処理装置を使用することにより人力を極力減少させて安全作業、作業効率を大幅に改善、前途の点を解決しようとするものである。
【課題を解決するための手段】
【０００４】本考案は、２のカッターユニットを昇降機構及び横移動機構に取付けて昇降用４の丸ハンドル、横移動用６のレバーハンドルの操作により原反ロールのシート材表面に３の丸刃を食い込ませ横方向に移動、往復させて切断していくもので、シート材を機械動作と丸刃の回転動作で切断することにより人力負荷が減少及び手首の故障、作業効率の悪さ、力加減により刃先が折れる、カッターナイフが滑り人体に当たり怪我をする等困難な問題を解決することにより巻芯とシート材の分離作業が容易となった。
【考案の効果】
【０００５】上述の様に、本考案の原反ロール処理装置を使用することにより人力負荷が減少、安全性、作業効率向上、巻芯（紙管、樹脂管、金属管）の再利用可能、シート材（フィルム、樹脂、紙）の再資源化可能で産業廃棄量、経費の削減及び作業負担が大幅に軽減される。
【図面の簡単な説明】
【０００６】
【図１】本考案の原反ロール処理装置の構成を表示する。
【図２】原反ロール処理装置の実地例、動作を示す全体図である。
【考案を実施するための形態】
【０００７】以下、添付図面に従って実地例を説明する。図１の１は主保持台で２はカッターユニット、３はカッターユニットに組み込んでいる丸刃、６はレバーハンドルでカッターユニットを左右に移動させる、７は直線運動レールでカッターユニットを左右に水平移動させるガイド、４は昇降ハンドル、５は送りネジで主保持台を昇降させる、８はスライドガイドシャフト、９はラック・ピニオンで主保持台が左右均一に平行に保ちながら昇降させ１２の原反ロール（フィルム、樹脂、紙、布）の切断深さを均一にさせる、１１は原反ロール受けバーで三角形状のバーを２本用い、原反ロール外径の大小に対応可能なように巾移動出来る、以上の構成により昇降ハンドルで原反ロールの切断位置までカッターユニットを下降及び左右に移動切断動作、順次繰返し巻芯表面までシート材（フィルム、樹脂、紙、布）を切断して巻芯（紙管、樹脂管、金属管）と分離させる。
【符号の説明】
【０００８】  １  主保持台
２  カッターユニット
３  丸刃
４  昇降ハンドル
５  送りネジ
６  レバーハンドル
７  直線運動レール
８  スライドガイドシャフト
９  ラック・ピニオン
１０  同調シャフト
１１  原反ロール受けバー
１２  原反ロール（フィルム、樹脂、紙、布）
１３  巻芯（紙管、樹脂管、金属管）
１４  架台
【図１】
0003203275.tif 000003
【図２】
0003203275.tif 000004
(57)【要約】      （修正有）【課題】矯正ベルトの内部に、ワイヤーロープを組み込んで、骨盤の特定の部位へアプローチさせることにより骨盤を徐々に前傾させて容易に腰痛治療が出来る矯正ベルトを提供する。【解決手段】長さ８００ｍｍ〜１５００ｍｍ、幅２５ｍｍ〜４５ｍｍの範囲のナイロン製またはポリエステル製生地のベルトの内部に、ベルト帯部の真ん中上の位置をワイヤーの長さの中心部分の起点位置とした、太さ２ｍｍ〜１６ｍｍ、長さ６００ｍｍ〜１３００ｍｍの範囲のステンレス製ワイヤーロープを組込んでなる矯正ベルトを装着した時に、前方の部分に組み込んだワイヤーロープを、前骨盤の股関節と両大腿骨付根に引っ掛けるようにして体の後ろ側で留めてベルトを留めて装着し、それによって後傾位にある骨盤が容易に前傾位に傾くようにする矯正ベルトを構成している。【選択図】図２
0003203283.tif 000002
【実用新案登録請求の範囲】
【請求項１】
長さ８００ｍｍ〜１５００ｍｍ、幅２５ｍｍ〜４５ｍｍの範囲のナイロン製またはポリエステル製生地のベルトの内部に、ベルト帯部の真ん中の位置をワイヤーの長さの中心部分の起点位置とした、太さ２ｍｍ〜１６ｍｍ、長さ６００ｍｍ〜１３００ｍｍの範囲のステンレス製ワイヤーロープを組込んでなる矯正ベルト
【考案の詳細な説明】
【技術分野】
【０００１】本考案は、腰痛を軽減するためにベルトの内部に、ワイヤーロープを組み込んで、骨盤の特定の部位へアプローチさせることにより骨盤を自然に前傾させて治療が出来る矯正ベルトに関するものである。
【背景技術】
【０００２】従来、腰痛の原因の一つである骨盤が後傾位になっている人は、骨盤を中間位の正常な位置に誘導させる徒手による治療が一般常識であった。【０００３】骨盤が後傾位になっている人は、骨盤を一度中間位の正常な位置に戻し、その後に前傾に誘導させるといった２段階の動きによる治療が有効であった。
しかし、本考案では手段にワイヤーロープを組込んでなる矯正ベルトにより容易な治療法とした。【０００４】本考案ではワイヤーロープを組込んでなる矯正ベルトを使用することにより、骨盤の特定の部位へアプローチすることができ、骨盤を自然に前傾させることによって治療することができるものである。【０００５】ベルトを用いた矯正器具としては、おもに以下の文献のものが存在する。しかしこれらは本考案のような構成内容ではなく、骨盤の特定の部位にアプローチしながら治療を目的としたものでは無い。
【先行技術文献】
【特許文献】
【０００６】
【特許文献１】特開２０１３−０９４５８５号  公報
【特許文献２】特開２０１２−０６５７６４号  公報
【特許文献３】特開２０１２−０５５３７６号  公報
【非特許文献】
【０００７】
【非特許文献１】実登３０４６８０３号  公報
【非特許文献２】実登３０２７５３３号  公報
【非特許文献３】実登３０２４７９５号  公報
【考案の概要】
【考案が解決しようとする課題】
【０００８】本考案は、従来の徒手治療に代わり、ベルトにステンレス製のワイヤーロープを組込むことによって、容易に骨盤を前傾させることができ、腰痛治療ができる矯正ベルトを提供する事を目的としている。具体的には、腰回りに前からベルトを回して装着する巻き方であり、腰前方の部分の前骨盤の股関節と両大腿骨の付け根に組み込んだワイヤーロープを引っかけたまま後ろ側でベルト装着する。このことによって後傾位にある骨盤が徐々に前傾位に傾くようにするものである。【０００９】また、従来は骨盤後傾位の治療法は徒手療法によって骨盤を後ろ側から誘導する方法が一般的常識であり、本考案のような骨盤の前からワイヤーロープでアプローチする方法で中間位から前傾位まで誘導するという発想と治療法は今までになかった。
【課題を解決するための手段】
【００１０】上記目的を達成するために、本考案は請求項１の構成要件でベルト内にロープを組込んで骨盤を前傾させる矯正ベルトを構成している。【００１１】本考案を構成するベルト素材は、ゴム生地が伸び縮みしてマジックテープで留めるという、従来の矯正ベルトの考え方ではなく、ベルト帯の生地に強度に優れたナイロン生地またはポリエステルの素材を使用することが好ましい。また人それぞれの体型に対応が出来るように、ベルトの長さは８００ｍｍ〜１５００ｍｍ、太さは２４ｍｍ〜５０ｍｍまでの範囲で対応する。また、ある程度の力の締め付けと細かい強度で適切にベルトを留めることが必要な為、安全帯などに使用される胴ベルト型のスライド式バックルによる巻取りＧＩ留めとした。【００１２】ベルト内に組み込むワイヤーロープにあっては、素材を骨盤に沿って曲げるなど、柔軟性に優れるステンレス製を採用する。同じく人それぞれの体型に対して有効に対応できるようにワイヤー長さは６０ｍｍ〜１３０ｍｍで調整し、太さは２ｍｍ〜１６ｍｍの範囲で対応した。組込む位置はベルトの帯の真ん中にワイヤーの中心が来るようにベルト内部に縫い込む。
【考案の効果】
【００１３】以上の説明で構成した、本考案の矯正ベルトにあっては次に列挙する効果が得られる。
１、ベルト全体（１）を前から人の腰前部（３）に巻いたとき、組み込まれたワイヤーロープ部分（２）が前骨盤の股関節と大腿骨付根位置に引っかかるようにアプローチが出来る。
２、前記１、の構成によって後傾位にあった骨盤が徐々に前傾位になる。
【図面の簡単な説明】
【００１４】
【図１】本考案のベルトを構成している概念図である。
【図２】本考案を使用した時にワイヤーロープをあてる位置図である。
【図３】本考案の使用後による骨盤の変化を表した比較図である。
【図４】本考案の使用後による骨盤の変化を表した比較図２である。
【考案を実施するための形態】
【００１５】以下、本考案の実施の形態を図に基づいて説明する。
【実施例】
【００１６】図１は、本考案を構成しているベルトの平面図であって、ベルト内にワイヤーロープを組込む位置を表したものである。【００１７】図２は、本考案の実施例で人の腰部の骨盤を前から見て、ベルトを巻くときにワイヤーロープを引っ掛けてアプローチさせる位置を表したものである。【００１８】図３は、本考案の実施例で後傾位の症例患者１の人に対して、ベルトを使用した時としない時の骨盤の変化を座位、前屈の状態でそれぞれ表したＸ線図である。【００１９】図４は、本考案の実施例を後傾位の症例患者２の人に対して、ベルトを使用した時としない時の骨盤の変化を座位、４５℃、前屈の状態でそれぞれ表したＸ線図である。
【産業上の利用可能性】
【００２０】本考案は、ワイヤーロープを組込んでなる矯正ベルトにより容易に後傾位の骨盤を前傾させることができるので、治療用の矯正ベルトとして医療や介護、学校やスポーツの分野で利用できるだけでなく、日常生活においての健康維持にも役立つものである。
【符号の説明】
【００２１】（１）ベルト全体
（２）ワイヤーロープ組込み位置
（３）人の腰前骨盤部
（４）股関節ワイヤーロープアプローチ位置
（５）大腿骨
【図１】
0003203283.tif 000003
【図２】
0003203283.tif 000004
【図３】
0003203283.tif 000005
【図４】
0003203283.tif 000006
(57)【要約】      （修正有）【課題】極めて簡単な構成により外反母趾と、内反小指を同時に矯正し、その結果、足裏に横方向アーチを形成でき足指の力で正しく歩行できる外反母趾及び内反小指矯正用サポータを提供する。【解決手段】外反母趾及び内反小指矯正用サポータ１は、足２の中足関節を巾方向に締め付ける弾力性の素材からなる筒状バンドのバンド上部に、親指３と小指５にかぶせる包容部４、６を一体に形成する。【選択図】図１
0003203213.tif 000002
【実用新案登録請求の範囲】
【請求項１】
足の中足関節を巾方向に締め付ける弾力性の素材からなる筒状バンドのバンド上部に、親指と小指にかぶせる包容部を一体に形成した外反母趾及び内反小指矯正用サポータ
【考案の詳細な説明】
【技術分野】
【０００１】
本考案は、足の中足関節を締め、外反母趾及び内反小指を矯正するサポータに関するものである。
【背景技術】
【０００２】
本出願人は先に図３に示すように（特許文献１参照）、足指を包むようになっている靴下のつま先に近い横中足靭帯と、中足関節に当る部分の巾方向締め付け力を他の部分より強くし、外反母趾を矯正、予防、更に治療し得るようにした外反母趾矯正用靴下を考案した。
また、図４に示すように（特許文献２参照）、足指の第１中足指関節部分全体を覆い巻きできる幅と長さを有する関節固定用バンドと、該関節固定用バンドに連結され、かつ足の親指を包容できる親指包容部と、該親指包容部の外方側面に一端が固定され、該固定箇所から足の外方一側面を通ってかかとを巻回し、外方他側を通って前記関節固定用バンド外面上の任意箇所に届く長さを有し、前記関節固定用バンドの外面に固定する引っぱり用バンドとよりなり、該引っぱり用バンドが関節固定用バンド一側下部に当接する部分と、端部が関節固定用バンドに当接する部分の引っぱり用バンド及び関節固定用バンドの両方に接離自在の固着テープを取り付けたことを特徴とする外反足親指矯正用サポータを発明した。
【先行技術文献】
【特許文献】
【０００３】
【特許文献１】実用新案登録第２５３４７８１号
【特許文献２】特許第１５８７６１６号
【考案の概要】
【考案が解決しようとする課題】
【０００４】
上記従来技術の前者は、中足関節を巾方向に締め付けているので外反母趾の矯正には効果的であるが、小指を外方に開く作用がないので内反小指の矯正には効果がないという問題点があった。又、後者は、中足関節固定用バンド上部に親指をすっぽり包み入れることのできる親指包容部を一体に成形しているが、外反母趾には効果があるが内反小指の小指を外方に開く作用がないので内反小指の矯正には効果がなかった。又、両者共足裏の横方向アーチが形成されず、正常な歩行ができないという問題点があった。
【課題を解決するための手段】
【０００５】
本考案は上記問題点を解決することを目的とし、足の中足関節を巾方向に締め付ける弾力性の素材からなる筒状バンドのバンド上部に、親指と小指にかぶせる包容部を一体に形成したことを特徴とする。
【考案の効果】
【０００６】
本考案は、足の中足関節を巾方向に締め付ける弾力性の素材からなる筒状バンドのバンド上部に、親指と小指にかぶせる包容部を一体に形成してあるので、極めて簡単な構成により外反母趾と、内反小指を同時に矯正し、その結果、足裏に横方向アーチを形成でき足指の力で正しく歩行できる。
【図面の簡単な説明】
【０００７】
【図１】本考案の一実施例使用時外観斜視図である。
【図２】足裏に正しいアーチが形成された足指正面図である。
【図３】従来のサポータの第１比較例正面図である。
【図４】従来のサポータの第２比較例平面図である。
【図５】足裏の横方向ア−チが消失した時の足指正面図である。
【図６】外反母趾及び内反小指が形成されている足指の骨格の平面図である。
【図７】中足関節を内方に締め付けた時の足指骨格の平面図である。
【考案を実施するための形態】
【０００８】
本考案の実施の形態は図１に示した一実施例に基づいて詳細に説明する。１は足先２に挿入する弾力性のある素材で形成され、図７の中足関節部８を巾方向に押圧する筒状のサポータである。その上縁と一体に親指３にかぶせる包容部４と、小指５にかぶせる包容部６を一体に形成してある。
【０００９】
使用時は図７のように、中足関節部８を両側から押す力Ｆ１，Ｆ２で内方に押圧し、同時に親指３はかぶせた包容部４により親指３と小指５を開き、足裏に図２の如く、横方向アーチ７が形成され正常に歩けるようになる。
【産業上の利用可能性】
【００１０】
サポータだけに限られるものではなく、靴下等にも利用することができる。
【符号の説明】
【００１１】
１    サポータ
２    足
３    親指
４    親指を包む包容部
５    小指
６    小指を包む包容部
７    足裏の横方向アーチ
８    中足関節部
【図１】
0003203213.tif 000003
【図２】
0003203213.tif 000004
【図３】
0003203213.tif 000005
【図４】
0003203213.tif 000006
【図５】
0003203213.tif 000007
【図６】
0003203213.tif 000008
【図７】
0003203213.tif 000009